(57)【要約】      （修正有）【課題】天板取付け時の送風機取付板の位置決めが容易で組立て作業性の良い空気調和機の室外ユニットを提供する。【解決手段】送風機取付板２０の上端部に天板１５のフランジと重ねて固定する下方に向かって伸びる折曲片２６を設け、折曲片２６に熱交換器１９の上部を保持する切欠部２７を設けるとともに、天板１５に切欠部２７と相対する位置に凹状の嵌合部２８を設けているので、室外ユニット組立てにおける最終工程での天板１５組付け時に、天板１５の凹状の嵌合部２８が送風機取付板２０の折曲片２６の切欠部２７に嵌まり込むことで送風機取付板２０の位置規制が行えるためビス位置が合うことから組立て作業性が向上する。【選択図】図２
2008020106.tif 000002
【特許請求の範囲】
【請求項１】
全周を下方に折曲したフランジを有する天板と、側板と、底板とにより筐体を構成し、前記筐体の内部を仕切板により風回路室と機械室とに区切り、前記風回路室は、熱交換器と、ファンをファンモーターに取付けて構成した送風機と、前記送風機を装着する送風機取付板とにより構成し、前記送風機取付板の上端部に前記天板のフランジと重ねて固定する下方に向かって伸びる折曲片を設け、前記折曲片に前記熱交換器の上部を保持する切欠部を設けるとともに、前記天板に前記切欠部と相対する位置に凹状の嵌合部を設けたことを特徴とする空気調和機の室外ユニット。
【請求項２】
天板の嵌合部を内側に向かって傾斜させて形成したことを特徴とする請求項１記載の空気調和機の室外ユニット。
【請求項３】
送風機取付板の折曲片の切欠部の形状を天板の嵌合部の傾斜と同じ角度で傾斜して形成したことを特徴とする請求項２記載の空気調和機の室外ユニット。
【請求項４】
送風機取付板の折曲片の先端を天板が所定の位置に収まったときに前記天板のフランジ下端が前記折曲片に当接するよう外側に向かって折曲げたことを特徴とする請求項１〜３のうちいずれか一項に記載の空気調和機の室外ユニット。
【発明の詳細な説明】
【技術分野】
【０００１】
本発明は空気調和機の室外ユニットに関するもので、特に室外ユニットの外郭を形成する外箱構成に関するものである。
【背景技術】
【０００２】
近年、複数の部品から構成される空気調和機の室外ユニットでは、大量生産への対応とともに労働力不足、省コスト化への対応により、組立性の良好な構造の確立が求められている。
【０００３】
以下に、従来の空気調和機の室外ユニットの構成を図７を用いて説明する。図７において、室外ユニット１は、天板２、側板３、及び底板４で形成され、内部に熱交換器５と送風機取付板６に装着された送風機７を内蔵する風回路室８と、圧縮機９を内蔵する機械室１０が設けられ、これらが仕切板１１にて隔てられている。送風機取付板６は、下部は底板４にビス等にて固定され上部は上端を下方に折り曲げて形成した上端部１２を天板２にビス１３にて固定して構成している（例えば、特許文献１参照）。
【特許文献１】特開２００２−２５０５４４号公報
【発明の開示】
【発明が解決しようとする課題】
【０００４】
しかしながら上記従来の空気調和機の室外ユニットの構成では、室外ユニット組立てにおける最終工程である天板２を組付けた後のビス１３を締め付ける際に、送風機取付板６が左右にずれてビス穴が合いにくいため組立て作業性が悪く、組立て作業工数の増加、天板２の傷付きや変形の原因となっていた。
【０００５】
本発明は、上記従来の課題を解決するもので、安価な構成で組立て作業性のよい空気調和機の室外ユニットを提供することを目的とするものである。
【課題を解決するための手段】
【０００６】
上記従来の課題を解決するために、本発明の空気調和機の室外ユニットは、全周を下方に折曲したフランジを有する天板と、側板と、底板とにより筐体を構成し、前記筐体の内部を仕切板により風回路室と機械室とに区切り、前記風回路室は、熱交換器と、ファンをファンモーターに取付けて構成した送風機と、前記送風機を装着する送風機取付板とにより構成し、前記送風機取付板の上端部に前記天板のフランジと重ねて固定する下方に向かって伸びる折曲片を設け、前記折曲片に前記熱交換器の上部を保持する切欠部を設けるとともに、前記天板に前記切欠部と相対する位置に凹状の嵌合部を設けているので、室外ユニット組立てにおける最終工程で天板を組付けた際に、天板の凹状の嵌合部が送風機取付板の折曲片の切欠部に嵌まり込むことで送風機取付板の位置規制が行えるためビス位置が合うことから組立て作業性が向上する。
【発明の効果】
【０００７】
本発明の空気調和機の室外ユニットは、安価な構成で、簡単に天板と送風機取付板の位置決めができるので作業効率が非常に良いものである。
【発明を実施するための最良の形態】
【０００８】
第１の発明は、全周を下方に折曲したフランジを有する天板と、側板と、底板とにより筐体を構成し、前記筐体の内部を仕切板により風回路室と機械室とに区切り、前記風回路室は、熱交換器と、ファンをファンモーターに取付けて構成した送風機と、前記送風機を
装着する送風機取付板とにより構成し、前記送風機取付板の上端部に前記天板のフランジと重ねて固定する下方に向かって伸びる折曲片を設け、前記折曲片に前記熱交換器の上部を保持する切欠部を設けるとともに、前記天板に前記切欠部と相対する位置に凹状の嵌合部を設けているので、室外ユニット組立てにおける最終工程で天板を組付けた際に、天板の凹状の嵌合部が送風機取付板の折曲片の切欠部に嵌まり込むことで送風機取付板の位置規制が行えるためビス穴位置が合うことからビス締め付け作業性が向上する。
【０００９】
第２の発明は、特に第１の発明の天板の嵌合部を内側に向かって傾斜させて形成したもので、天板を組付ける際に天板の嵌合部の傾斜に沿って送風機取付板の折曲片の切欠き部が案内され所定の位置に収まることで天板の組付け作業性が向上する。
【００１０】
第３の発明は、特に第２の発明の送風機取付板の折曲片の切欠部の形状を天板の嵌合部の傾斜と同じ角度で傾斜して形成したもので、天板を組付けた際に天板の嵌合部と送風機取付板の折曲片の切欠部が密接して嵌合することでがたつきがなくなるとともに強度が向上する。
【００１１】
第４の発明は、特に第１又は第２又は第３の発明の送風機取付板の折曲片の先端を天板が所定の位置に収まったときに天板のフランジ下端が前記折曲片に当接するよう外側に向かって折曲げたもので、天板を組付けた際に天板の上下方向の位置が折曲片により規制され所定の位置に収まることでビス穴位置が合うことからビス締め付け作業性が向上する。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の室外ユニットの構成を示す分解斜視図で、図２は、同室外ユニットの送風機取付板の取付部の要部斜視図で、図３は、同室外ユニットの送風機取付板の取付部の部分断面図である。
【００１４】
図１、図２、図３において、室外ユニット１４は、全周を下方に折曲したフランジ１５ａを有して天面部を覆う天板１５、側面部を覆う側板１６、底部を形成する底板１７とで形成され、内部を仕切板１８によって左右に仕切られている。仕切板１８によって仕切られた、その片側に熱交換器１９と送風機取付板２０に装着されファンをファンモーターに取付けて構成した送風機２１を内蔵する風回路室２２を有し、もう片側に圧縮機２３、電装品箱２４を内蔵する機械室２５有して構成されている。
【００１５】
送風機取付板２０は、下方をビス等により底板１７に固定され、上方は上端部に下方に向かって伸びる折曲片２６を形成し、折曲片２６に熱交換器１９の上部を保持する切欠部２７が形成されている。天板１５のフランジ１５ａには、切欠部２７と相対する位置に切欠部２７と嵌合する凹状の嵌合部２８が形成されている。
【００１６】
以上のように構成された空気調和機の室外ユニットにおいて、天板１５を組付ける際は、天板１５の凹状の嵌合部２８が送風機取付板２０の折曲片２６の切欠部２７に嵌まり込むことで送風機取付板２０の位置規制が行えるためビス位置が合うことから組立て作業性が向上する。
【００１７】
以上のように、本実施の形態によれば、安価な構成で簡単に天板と送風機取付板の位置決めができるものである。
【００１８】
（実施の形態２）
図４は、本発明の第２の実施の形態における空気調和機の室外ユニットの要部断面図である。なお、上記実施の形態と同一部分については同一符号を付してその説明を省略する。
【００１９】
本実施の形態は、天板１５の凹状の嵌合部２８を内側に向かって傾斜させて形成している。この構成によって、天板１５を組付ける際に天板１５の嵌合部２８の傾斜に沿って送風機取付板２０の折曲片２６の切欠き部２７が案内され所定の位置に収まることから天板１５の組付け作業性が向上する。
【００２０】
（実施の形態３）
図５は、本発明の第３の実施の形態における空気調和機の室外ユニットの要部断面図である。なお、上記実施の形態と同一部分については同一符号を付してその説明を省略する。
【００２１】
本実施の形態は、送風機取付板２０の折曲片２６の切欠部２７の形状を天板１５の凹状の嵌合部２８の傾斜と同じ角度で傾斜して形成している。この構成によって、天板１５を組付けた際に天板１５の嵌合部２８と送風機取付板２０の折曲片２６の切欠部２７が密接して嵌合することでがたつきがなくなるとともに強度が向上する。
【００２２】
（実施の形態４）
図６は、本発明の第４の実施の形態における空気調和機の室外ユニットの部分斜視図である。なお、上記実施の形態と同一部分については同一符号を付してその説明を省略する。
【００２３】
本実施の形態は、送風機取付板２０の折曲片２６の先端を天板１５が所定の位置に収まったときに天板１５のフランジ２９下端が折曲片２６に当接するよう外側に向かって折曲げている。この構成によって、天板１５を組付けた際に天板の上下方向の位置が折曲片により規制され所定の位置に収まることでビス穴位置が合うことからビス締め付け作業性が向上する。
【産業上の利用可能性】
【００２４】
以上のように、本発明に係る空気調和機の室外ユニットは、安価な構成で、簡単に天板と送風機取付板の位置決めができるので、作業効率が非常に良く、設置時、サービス時に着脱を要する板金製の扉、蓋などを有する各種機器、装置にも適用できるものである。
【図面の簡単な説明】
【００２５】
【図１】本発明の実施の形態１における空気調和機の室外ユニットの分解斜視図
【図２】同室外ユニットの要部斜視図
【図３】同室外ユニットの要部断面図
【図４】本発明の実施の形態２における空気調和機の室外ユニットの要部断面図
【図５】本発明の実施の形態３における空気調和機の室外ユニットの要部断面図
【図６】本発明の実施の形態４における空気調和機の室外ユニットの要部斜視図
【図７】従来の空気調和機の室外ユニットの展開斜視図
【符号の説明】
【００２６】
１４  室外ユニット
１５  天板
１５ａ  フランジ
１６  側板
１７  底板
１８  仕切板
１９  熱交換器
２０  送風機取付板
２１  送風機
２２  風回路室
２５  機械室
２６  折曲片
２７  切欠部
２８  嵌合部
【図１】
2008020106.tif 000003
【図２】
2008020106.tif 000004
【図３】
2008020106.tif 000005
【図４】
2008020106.tif 000006
【図５】
2008020106.tif 000007
【図６】
2008020106.tif 000008
【図７】
2008020106.tif 000009